(57)【要約】【課題】カーボンコンポジットを含む中心部の損傷に係る危険性を送電線の外観から検知することができる技術を提供する。【解決手段】カーボンコンポジットを含む中心部と、中心部の外周を覆うように複数の外部素線を撚り合わせて設けられる外部撚線層と、を有する送電線であって、中心部は、複数の外部素線と異なる色を呈し、常温で流動性を有する着色剤を、内部に保持する着色剤保持管を有し、着色剤保持管は、中心部のうちカーボンコンポジットの少なくとも一部に損傷が生じる臨界曲げ半径以上の曲げ半径に送電線が曲げられたときに割れ、着色剤を外部に放出するよう構成される。【選択図】図１
2019153408.tif 000002
【特許請求の範囲】
【請求項１】
カーボンコンポジットを含む中心部と、
前記中心部の外周を覆うように複数の外部素線を撚り合わせて設けられる外部撚線層と、
を有する送電線であって、
前記中心部は、前記複数の外部素線と異なる色を呈し常温で流動性を有する着色剤を、内部に保持する着色剤保持管を有し、
前記着色剤保持管は、前記中心部のうち前記カーボンコンポジットの少なくとも一部に損傷が生じる臨界曲げ半径以上の曲げ半径に前記送電線が曲げられたときに割れ、前記着色剤を外部に放出するよう構成される
送電線。
【請求項２】
前記中心部は、１つのカーボンコンポジット素線からなり、
前記カーボンコンポジット素線は、
カーボンコンポジットを含む素線コア部と、
前記素線コア部の外周を覆うように設けられるコア保護層と、
を有し、
前記着色剤保持管は、前記コア保護層内に設けられる
請求項１に記載の送電線。
【請求項３】
前記着色剤保持管の曲げ強さは、前記素線コア部の曲げ強さ以下である
請求項２に記載の送電線。
【請求項４】
前記中心部は、１つのカーボンコンポジット素線からなり、
前記カーボンコンポジット素線は、
カーボンコンポジットを含む素線コア部と、
前記素線コア部の外周を覆うように設けられるコア保護層と、
を有し、
前記着色剤保持管は、前記素線コア部内に設けられる
請求項１に記載の送電線。
【請求項５】
前記着色剤保持管の曲げ強さは、前記素線コア部のうち前記着色剤保持管以外の他部の曲げ強さ以下である
請求項４に記載の送電線。
【請求項６】
前記中心部は、カーボンコンポジット素線を複数束ねることにより構成され、
前記着色剤保持管は、前記中心部内に前記複数のカーボンコンポジット素線とともに束ねられる
請求項１に記載の送電線。
【請求項７】
前記着色剤保持管の曲げ強さは、前記複数のカーボンコンポジット素線のうちの少なくとも１つのカーボンコンポジット素線の曲げ強さ以下である
請求項６に記載の送電線。
【請求項８】
前記着色剤保持管の曲げ強さは、前記複数のカーボンコンポジット素線の全体としての曲げ強さ以下である
請求項６に記載の送電線。
【請求項９】
前記着色剤保持管は、複数設けられ、
前記複数の着色剤保持管は、異なる曲げ半径で割れるよう構成され、
前記複数の着色剤保持管が有する前記着色剤の色は、互いに異なる
請求項１〜８のいずれか１項に記載の送電線。
【請求項１０】
前記着色剤保持管は、複数設けられ、
前記複数の着色剤保持管は、前記中心部の周方向に均等に配置される
請求項１〜９のいずれか１項に記載の送電線。
【請求項１１】
前記着色剤保持管は、複数設けられ、
前記複数の着色剤保持管は、前記中心部の中心軸に対して対称に配置される
請求項１〜１０のいずれか１項に記載の送電線。
【発明の詳細な説明】
【技術分野】
【０００１】
本発明は、送電線に関する。
【背景技術】
【０００２】
架空送電線（以下、送電線という）としては、鋼心アルミニウム撚線（ＡＣＳＲ：Ａｌｕｍｉｎｕｍ  Ｃｏｎｄｕｃｔｏｒ  Ｓｔｅｅｌ  Ｒｅｉｎｆｏｒｃｅｄ）が知られている。一般に、ＡＣＳＲなどの送電線では、電流を増加させたときにジュール熱による送電線の温度上昇に伴って、送電線が熱膨張し、送電線の弛度が大きくなる傾向がある。
【０００３】
そこで、近年では、既設の送電線路の電流容量を増大させるため、電流が増加し送電線の温度が上昇したときの弛度の増加を抑制した、いわゆる低弛度増容量電線が開発されている。低弛度増容量電線としては、例えば、中心部（鋼心部）がインバーを含むインバー電線、高強度鋼線を用いたギャップ電線、中心部に予め張力を付与してから外部素線（アルミ素線）を撚り合わせることで外部素線に余長を生じさせたプレストレッチ電線、または中心部がカーボンコンポジットを含むカーボンコンポジットコア電線などが知られている。
【０００４】
なかでも、カーボンコンポジットは、線膨張係数が小さく、比重が小さく、また引張強度が高い。このことから、カーボンコンポジットコア電線では、その用途に応じて、送電線の弛度を小さくしたり、外部撚線層（アルミ層）の径を太くすることで抵抗を低くしたりすることが可能となる（例えば、特許文献１および２）。
【先行技術文献】
【特許文献】
【０００５】
【特許文献１】特開平４−３０８６１０号公報
【特許文献２】特開平４−８７２１２号公報
【発明の概要】
【発明が解決しようとする課題】
【０００６】
しかしながら、中心部が含むカーボンコンポジットは、曲げ応力に弱い。カーボンコンポジットが所定の曲げ半径以下に曲げられると、ひびや割れ等の損傷が生じる可能性がある。
【０００７】
本発明の目的は、カーボンコンポジットを含む中心部の損傷に係る危険性を送電線の外観から検知することができる技術を提供することである。
【課題を解決するための手段】
【０００８】
本発明の一態様によれば、
カーボンコンポジットを含む中心部と、
前記中心部の外周を覆うように複数の外部素線を撚り合わせて設けられる外部撚線層と、
を有する送電線であって、
前記中心部は、前記複数の外部素線と異なる色を呈し常温で流動性を有する着色剤を、内部に保持する着色剤保持管を有し、
前記着色剤保持管は、前記中心部のうち前記カーボンコンポジットの少なくとも一部に損傷が生じる臨界曲げ半径以上の曲げ半径に前記送電線が曲げられたときに割れ、前記着色剤を外部に放出するよう構成される
送電線が提供される。
【発明の効果】
【０００９】
本発明によれば、カーボンコンポジットを含む中心部の損傷に係る危険性を送電線の外観から検知することができる。
【図面の簡単な説明】
【００１０】
【図１】本発明の一実施形態に係る送電線の軸方向と直交する断面図である。
【図２】本発明の一実施形態の送電線のうち着色剤保持管が割れたときを示す断面図である。
【図３】本発明の一実施形態に係る送電線が曲げられたときの軸方向に沿った断面図である。
【図４】本発明の一実施形態の変形例１に係る送電線の軸方向と直交する断面図である。
【図５】本発明の一実施形態の変形例２に係る送電線の軸方向と直交する断面図である。
【図６】本発明の一実施形態の変形例３に係る送電線の軸方向と直交する断面図である。
【発明を実施するための形態】
【００１１】
＜発明者の得た知見＞
上述のように、中心部が含むカーボンコンポジットは、曲げ応力に弱く、カーボンコンポジットが所定の曲げ半径以下に曲げられると、ひびや割れ等の損傷が生じる可能性がある。カーボンコンポジットに損傷が生じると、カーボンファイバ同士の繋がりが断ち切られることとなる。仮にカーボンコンポジットを含む中心部にひび等の損傷が生じたまま、送電線が鉄塔間に架線されると、中心部に生じた損傷が経時的に拡大し、中心部の全体が破断したり屈折したりしてしまうおそれがある。その結果、送電線が架線時の張力に耐えられなくなるおそれがある。
【００１２】
このような事態を回避するため、送電線が架線される以前に中心部の損傷を検知することが望まれる。
【００１３】
しかしながら、中心部は外部撚線層によって覆われているため、送電線の製造後から架線するまでの間に中心部に損傷が生じたとしても、送電線の外観から当該中心部の損傷を確認することは困難であった。
【００１４】
このため、従来では、送電線の製造後から送電線を架線するまでの間に、中心部が所定の曲げ半径以下に曲げられることがないよう、各工程を管理していた。具体的には、例えば、送電線を巻き取るドラムの直径を大きくしたり、送電線を鉄塔間に架線する際に用いられる金車の直径を大きくしたりしていた。
【００１５】
しかしながら、中心部の曲げ半径の管理を、送電線を製造する製造メーカから、送電線を架線する施工業者に至るまで、一貫して徹底させることは困難であった。また、たとえ中心部の曲げ半径を管理していたとしても、送電線の製造後から架線するまでの間には、送電線を工具で掴むなどの様々なプロセスを経るため、意図せずに中心部が所定の曲げ半径以下に曲げられる可能性があった。その結果、中心部の損傷を抑制することが困難となっていた。
【００１６】
本発明は、発明者等が見出した上記新規課題に基づくものである。
【００１７】
＜本発明の一実施形態＞
（１）送電線
本発明の一実施形態に係る送電線（架空送電線）について、図１を用いて説明する。図１は、本実施形態に係る送電線の軸方向と直交する断面図である。
【００１８】
本実施形態の送電線１０は、いわゆる低弛度増容量電線として構成され、例えば、中心部１００と、外部撚線層３００と、を有している。
【００１９】
なお、以下において、送電線１０の「軸方向」とは、送電線１０の中心軸の方向のことをいい、送電線１０の長手方向と言い換えることができる。また、送電線１０の「径方向」とは、送電線１０の軸方向に垂直な方向のことをいい、場合によっては送電線１０の短手方向と言い換えることができる。また、送電線１０の「周方向」とは、送電線１０の外周に沿った方向のことをいう。
【００２０】
（中心部）
中心部１００は、例えば、架線時に送電線１０の張力を負担するテンションメンバとして機能するよう構成されている。中心部１００は、送電線１０の径方向の中心に設けられ、送電線１０の軸方向に延在している。
【００２１】
中心部１００は、例えば、カーボンコンポジットを含んでいる。カーボンコンポジットの線膨張係数は、ＡＣＳＲに用いられるアルミニウム（Ａｌ）の線膨張係数（２３×１０−６／Ｋ）や、亜鉛メッキ鋼の線膨張係数（１１．５×１０−６／Ｋ）よりも低く、０．８×１０−６／Ｋである。また、カーボンコンポジットの比重は、ＡＣＳＲに用いられるＡｌの比重（約２．７ｇ／ｃｍ３）や、亜鉛メッキ鋼の比重（約７．８ｇ／ｃｍ３）よりも小さく、約１．５〜１．８ｇ／ｃｍ３程度である。これにより、送電線１０の弛度を小さくすることが可能となる。
【００２２】
本実施形態の中心部１００は、例えば、１つのカーボンコンポジット素線１２０からなっている。カーボンコンポジット素線１２０は、例えば、素線コア部１２２と、コア保護層１２４と、を有している。
【００２３】
素線コア部１２２は、中心部１００のなかでも主に送電線１０の張力を負担する線状部材として構成され、カーボンコンポジットからなっている。具体的には、素線コア部１２２は、例えば、カーボンファイバ（炭素繊維）と、カーボンファイバを束ねて固める樹脂と、を有している。素線コア部１２２を構成する樹脂は、例えば、束ねられたカーボンファイバ間に介在して設けられ、または、束ねられたカーボンファイバの外周を囲むように設けられている。当該樹脂は、例えば、熱硬化型樹脂であり、具体的には、熱硬化型のエポキシ樹脂などである。なお、素線コア部１２２は、例えば、ガラス繊維をさらに含んでいてもよい。
【００２４】
コア保護層１２４は、例えば、素線コア部１２２の外周を覆うように設けられ、該素線コア部１２２を保護するよう構成されている。これにより、カーボンコンポジットからなる素線コア部１２２と、後述のＡｌ等からなる外部素線３２０とが直接接することを抑制することができる。その結果、これらの接触を起因とした外部素線３２０の電食を抑制することができる。
【００２５】
コア保護層１２４は、例えば、カーボンファイバを含まず、ガラスファイバと、ガラスファイバを固める樹脂と、を有している。具体的には、コア保護層１２４を構成する樹脂としては、例えば、素線コア部１２２と同様に、熱硬化型のエポキシ樹脂などである。このような構成により、コア保護層１２４の強度を向上させることができる。
【００２６】
ここで、本実施形態の中心部１００は、例えば、着色剤保持管４００を有している。着色剤保持管４００については、詳細を後述する。
【００２７】
（外部撚線層）
外部撚線層３００は、送電時に主に電流を流す導体部分として構成されている。外部撚線層３００は、中心部１００の外周を覆うように複数の外部素線３２０を撚り合わせて設けられている。外部撚線層３００を構成する複数の外部素線３２０は、例えば、ＡｌまたはＡｌ合金からなっている。本実施形態では、当該外部素線３２０は、例えば、耐熱アルミニウム合金線（日本ではＴＡＬ、ＩＥＣ６２００４ではＡＴ１）、超耐熱アルミニウム合金線（日本ではＺＴＡＬ、ＩＥＣ６２００４ではＡＴ３）、または軟アルミニウム線などである。これにより、送電線１０を高い温度範囲で使用することができ、送電線１０の電流容量を大きくすることができる。
【００２８】
外部撚線層３００は、例えば、中心部１００の中心軸を中心として同心円状に複数積層されている。本実施形態では、例えば、外部撚線層３００は、２層設けられている。具体的には、送電線１０は、例えば、中心部１００側から外側に向けて、第１外部撚線層３００ａと、第２外部撚線層３００ｂと、を有している。
【００２９】
なお、本実施形態では、外部撚線層３００を構成する全ての外部素線３２０のそれぞれの断面形状は、例えば、円形である。
【００３０】
（着色剤保持管）
本実施形態の中心部１００は、例えば、上述のように、着色剤保持管４００を有している。着色剤保持管４００は、例えば、円管状（チューブ状）部材からなり、内部に中空部（符号不図示）を有している。
【００３１】
着色剤保持管４００は、例えば、複数の外部素線３２０と異なる色を呈し、常温（例えば２３℃）で流動性を有する着色剤（塗料、インク）４２０を、中空部内に保持している。着色剤４２０は、例えば、着色剤４２０を早く外部に露出させる観点から、常温で液状であることが好ましい。また、着色剤４２０が呈する色は、少なくとも複数の外部素線３２０と異なる色であれば特に限定されないが、目立つ色が好ましい。具体的には、着色剤４２０が呈する色の色度および明度は、外部素線３２０のそれらと離れていることが好ましい。さらには、着色剤４２０は、例えば、蛍光材料を含んでいることが好ましい。これにより、着色剤４２０の視認性を向上させることができる。
【００３２】
着色剤保持管４００は、中心部１００のうちカーボンコンポジットの少なくとも一部に損傷が生じる臨界曲げ半径以上の曲げ半径に送電線１０が曲げられたときに割れ、着色剤４２０を外部に放出するよう構成されている。なお、ここでいう「中心部１００のうちカーボンコンポジットの少なくとも一部」とは、本実施形態では、素線コア部１２２の少なくとも一部のことである。また、ここでいう「中心部１００のうちカーボンコンポジットの少なくとも一部」に生じる「損傷」とは、曲げにより生じる欠陥部のことを意味し、例えば、ひびや割れなどのことである。
【００３３】
本実施形態では、着色剤保持管４００は、例えば、カーボンコンポジット素線１２０のコア保護層１２４内に設けられている。これにより、カーボンコンポジット素線１２０を構成する素線コア部１２２の断面形状を、従来の素線コア部と同様に円形とすることができる。
【００３４】
ここで、図２を用い、着色剤保持管４００が割れたときについて説明する。図２は、本実施形態の送電線のうち着色剤保持管が割れたときを示す断面図である。
【００３５】
送電線１０が上記所定の曲げ半径に曲げられたとき、図２に示すように、着色剤保持管４００の少なくとも一部に割れが生じる。着色剤保持管４００の少なくとも一部に割れが生じると、当該着色剤保持管４００の割れ部分から（コア保護層１２４の割れ部分を介して）外部に向けて、着色剤４２０が放出される。放出された着色剤４２０は、例えば、毛細管現象またはそれ自身の重力などによって、複数の外部素線３２０の間を伝播し、最終的に外部撚線層３００の外周面に露出する（太矢印経路）。このように外部撚線層３００の外周面に露出した着色剤４２０を確認することで、カーボンコンポジットを含む中心部１００の損傷に係る危険性を送電線１０の外観から検知することができる。
【００３６】
なお、着色剤４２０が外部撚線層３００の外周面に露出した位置が、たとえ送電線１０の鉛直上側であったとしても、着色剤４２０は、外部撚線層３００を構成する外部素線３２０の撚り溝に沿って伝播し、送電線１０の鉛直下側まで移動する。これにより、送電線１０の鉛直下側に露出した着色剤４２０を、地上から確認することができる。
【００３７】
次に、図３を用い、それぞれの曲げ半径について説明する。図３は、本実施形態に係る送電線が曲げられたときの軸方向に沿った断面図である。なお、図３では、ハッチングの一部を省略している。
【００３８】
なお、図３は、送電線１０の曲げ中心側を１つの着色剤保持管４００が通る場合を示している。「送電線１０の曲げ中心側」とは、送電線１０が曲げられることで形成される円弧の内側のことを意味している。また、図３において、送電線１０の曲げ半径をＲとし、中心部１００のうちの素線コア部１２２の曲げ半径をｒｃとし、着色剤保持管４００（本実施形態ではコア保護層１２４）の曲げ半径をｒｄとする。
【００３９】
図３に示すように、送電線１０の曲げ半径Ｒは、例えば、送電線１０が曲げられたときの、送電線１０の曲げ中心から、送電線１０の外周面のうち曲げ中心側の位置までの距離として定義される。
【００４０】
送電線１０の曲げ半径Ｒに関して、上述の「中心部１００のうちカーボンコンポジットの少なくとも一部に損傷が生じる臨界曲げ半径」とは、送電線１０を徐々に曲げていった場合に、中心部１００のうちカーボンコンポジットの少なくとも一部に損傷が生じ始めたときの送電線１０の曲げ半径Ｒの最大値のことを意味している。
【００４１】
中心部１００のうちの素線コア部１２２の曲げ半径ｒｃは、例えば、送電線１０が曲げられたときの、送電線１０の曲げ中心から、素線コア部１２２の外周面のうち曲げ中心側の位置までの距離として定義される。なお、素線コア部１２２の曲げ半径ｒｃは、およそ外部撚線層３００の厚さ分だけ送電線１０の曲げ半径Ｒよりも大きい。
【００４２】
着色剤保持管４００の曲げ半径ｒｄは、例えば、送電線１０が曲げられたときの、送電線１０の曲げ中心から、着色剤保持管４００の外周面のうち曲げ中心側の位置までの距離として定義される。なお、図３に示すように、送電線１０の曲げ中心側を着色剤保持管４００が通る場合では、当該着色剤保持管４００の曲げ半径ｒｄは、素線コア部１２２の曲げ半径ｒｃよりも小さい。
【００４３】
ここで、本実施形態の着色剤保持管４００は、上述のように、送電線１０の曲げ半径Ｒが中心部１００のうちカーボンコンポジットの少なくとも一部に損傷が生じる臨界曲げ半径以上の曲げ半径であるときに割れるように構成されている。言い換えれば、着色剤保持管４００の少なくとも一部に割れが生じるときの送電線１０の曲げ半径Ｒは、中心部１００のうちカーボンコンポジットの少なくとも一部に損傷が生じる臨界曲げ半径以上である。
【００４４】
着色剤保持管４００の少なくとも一部に割れが生じるときの送電線１０の曲げ半径Ｒが上記臨界曲げ半径未満であると、送電線１０が上記臨界曲げ半径に曲げられたとしても、中心部１００のうちカーボンコンポジットの少なくとも一部に損傷が生じているにもかかわらず、着色剤保持管４００に割れが生じない。このため、着色剤保持管４００から着色剤４２０が放出されず、中心部１００のうちのカーボンコンポジットの損傷を検知することができない可能性がある。
【００４５】
これに対し、本実施形態では、例えば、着色剤保持管４００の少なくとも一部に割れが生じるときの送電線１０の曲げ半径Ｒを上記臨界曲げ半径と等しくすることにより、送電線１０が上記臨界曲げ半径に曲げられたときに、中心部１００のうちカーボンコンポジットの少なくとも一部に損傷が生じるのと同等のタイミングで、着色剤保持管４００の少なくとも一部においても、割れを生じさせることができる。これにより、着色剤保持管４００の割れ部分から外部に向けて、着色剤４２０を放出させることができる。このようにして放出された着色剤４２０を送電線１０の外観から検知することにより、カーボンコンポジットを含む中心部１００に損傷が生じたおそれがあることを把握することができる。
【００４６】
また、本実施形態では、例えば、着色剤保持管４００の少なくとも一部に割れが生じるときの送電線１０の曲げ半径Ｒを上記臨界曲げ半径よりも大きくすることにより、送電線１０が上記臨界曲げ半径より大きい所定の曲げ半径Ｒに曲げられたときに、中心部１００に損傷が生じていなくても、着色剤保持管４００の少なくとも一部に割れを生じさせることができる。ここで、送電線１０が上記臨界曲げ半径より大きい所定の曲げ半径Ｒに曲げられたときであっても、当該送電線１０の曲げ半径Ｒが上記臨界曲げ半径に近い場合などには、中心部１００に対して損傷を生じさせるに相当する曲げ応力が印加されたおそれがある。そこで、本実施形態では、このような段階であっても、着色剤保持管４００の少なくとも一部に割れを生じさせ、着色剤保持管４００の割れ部分から外部に向けて、着色剤４２０を放出させることができる。このようにして放出された着色剤４２０を送電線１０の外観から検知することにより、中心部１００に損傷が生じうる危険性を未然に把握することができる。
【００４７】
なお、着色剤保持管４００の少なくとも一部に割れが生じるときの送電線１０の曲げ半径Ｒの上限値については、特に限定されるものではないが、着色剤保持管４００に過度に（頻繁に）割れが生じない程度に設計されることが好ましい。
【００４８】
また、着色剤保持管４００による中心部１００の損傷検知精度を向上させる観点では、着色剤保持管４００の少なくとも一部に割れが生じるときの送電線１０の曲げ半径Ｒは、上記臨界曲げ半径に限りなく近いことが好ましく、上述のように臨界曲げ半径と等しいことがより好ましい。
【００４９】
本実施形態のように、中心部１００が１つのカーボンコンポジット素線１２０からなる場合では、着色剤保持管４００の曲げ強さは、例えば、カーボンコンポジット素線１２０のうちの素線コア部１２２の曲げ強さ以下である。ここでいう「曲げ強さ」とは、所定の素線（または管）を曲げることで、当該素線の少なくとも一部に損傷が生じたときに、素線に印加されていた最大曲げ応力のことをいう。当該「曲げ強さ」は、例えば、いわゆる３点曲げ試験等により測定可能である。着色剤保持管４００の曲げ強さが素線コア部１２２の曲げ強さ以下であることで、送電線１０の曲げ半径Ｒが、カーボンコンポジット素線１２０のうちの素線コア部１２２の少なくとも一部に損傷が生じる臨界曲げ半径以上の曲げ半径であるときに、着色剤保持管４００の少なくとも一部に割れを生じさせることができる。
【００５０】
なお、着色剤保持管４００の曲げ強さは、例えば、送電線１０が通電されたときに着色剤４２０の膨張に耐えうる強度以上であることが好ましい。これにより、中心部１００の損傷の誤検出を抑制することができる。
【００５１】
本実施形態では、着色剤保持管４００は、例えば、カーボンコンポジット素線１２０のうちのコア保護層１２４を構成する材料のうち少なくともいずれかを含んでいる。着色剤保持管４００を構成する材料は、コア保護層１２４を構成する材料と全く同じであってもよいし、コア保護層１２４を構成する材料以外の材料を含んでいてもよい。
【００５２】
このような着色剤保持管４００の構成は、着色剤保持管４００の曲げ強さが素線コア部１２２の曲げ強さ以下となるよう、例えば、以下のようにして実験的に最適化される。例えば、着色剤保持管４００を構成する材料、組成比および厚さ等が異なる複数の送電線１０を製造した後、中心部１００のうちカーボンコンポジットの少なくとも一部に損傷が生じる臨界曲げ半径以上の所定の半径を有する金車に、それぞれの送電線１０を通す。当該金車通過試験後、着色剤保持管４００に割れが生じずに、中心部１００のうちカーボンコンポジットに損傷が生じてしまった送電線１０などを不良品として判定する。これに対し、中心部１００のうちカーボンコンポジットに損傷が生じておらず、着色剤保持管４００のみに割れが生じたことが確認された送電線１０を良品として判定する。その結果、良品として判定された送電線１０のなかから、着色剤保持管４００の構成を最適化することができる。
【００５３】
また、図１に示すように、本実施形態では、着色剤保持管４００は、例えば、複数設けられている。複数の着色剤保持管４００は、コア保護層１２４内で素線コア部１２２の外周を囲むように設けられている。複数の着色剤保持管４００は、例えば、素線コア部１２２に沿って互いに平行に設けられていてもよいし、或いは、素線コア部１２２を中心としてその外周に撚り合わせられていてもよい。
【００５４】
本実施形態では、送電線１０の軸方向に直交する断面において、複数の着色剤保持管４００は、例えば、中心部１００の周方向に均等に配置されている。複数の着色剤保持管４００は、例えば、中心部１００の中心軸を中心として回転対称に配置されていると考えてもよい。具体的には、例えば、着色剤保持管４００は６つ設けられ、６つの着色剤保持管４００は中心部１００の周方向に均等に配置されている。６つの着色剤保持管４００は中心部１００の中心軸を中心として２回、３回または６回の回転対称に配置されていると考えることができる。さらに、６つの着色剤保持管４００は、送電線１０の中心軸に対して対称に配置されていると考えることもできる。このような着色剤保持管４００の配置により、着色剤保持管４００による中心部１００の損傷検知精度を向上させることができる。
【００５５】
また、本実施形態では、コア保護層１２４内の径方向の着色剤保持管４００の位置は、例えば、コア保護層１２４の表面よりも径方向の内側である。言い換えれば、着色剤保持管４００は、コア保護層１２４の外側に露出していない。これにより、着色剤保持管４００が外部素線３２０と接触すること等に起因して、着色剤保持管４００が誤って割れることを抑制することができる。その結果、中心部１００の損傷の誤検出を抑制することができる。
【００５６】
一方で、本実施形態では、例えば、着色剤保持管４００の少なくとも一部が、コア保護層１２４の外側に露出していてもよい。これにより、着色剤保持管４００を割れ易くすることができ、着色剤保持管４００内の着色剤４２０を中心部１００の外部に放出させ易くすることができる。その結果、中心部１００の損傷に対する着色剤保持管４００の応答性を向上させることができる。
【００５７】
なお、コア保護層１２４内の径方向の着色剤保持管４００の位置についても、上述のように実験的に最適化することができる。
【００５８】
以上により、本実施形態の送電線１０が構成される。
【００５９】
送電線１０の具体的な寸法の一例としては、中心部１００を構成するカーボンコンポジット素線１２０の直径は、例えば、６ｍｍ以上１５ｍｍ以下である。カーボンコンポジット素線１２０のうち、素線コア部１２２の直径は、例えば、４ｍｍ以上１１ｍｍ以下であり、コア保護層１２４の厚さは、例えば、１ｍｍ以上２ｍｍ以下である。本実施形態での着色剤保持管４００の直径は、例えば、コア保護層１２４の厚さ以下であり、すなわち、１ｍｍ以上２ｍｍ以下である。着色剤保持管４００の厚さは、例えば、０．３ｍｍ以下である。例えば、外部素線３２０の直径は、例えば、２ｍｍ以上６ｍｍ以下である。また、送電線１０全体の直径は、１４ｍｍ以上５０ｍｍ以下である。
【００６０】
また、送電線１０に適用される電圧（公称電圧）は、例えば、３０ｋＶ以上１０００ｋＶ以下であり、送電線１０の許容電流は、例えば、４００Ａ以上３０００Ａ以下である。
【００６１】
なお、送電線１０の具体的な寸法等はあくまで一例であって、本実施形態の送電線１０は、上記構成に限定されるものではない。上記寸法以外の寸法等において本実施形態の送電線１０を適用しても、本実施形態と同様の効果を得ることができる。
【００６２】
（２）送電線の製造方法
次に、本実施形態に係る送電線１０の製造方法について説明する。
【００６３】
（中心部形成工程）
まず、着色剤４２０を内部に保持する着色剤保持管４００を準備する。
【００６４】
具体的には、例えば、所定の樹脂により円管状部材を押出成型することで、着色剤保持管４００を形成する。なお、所定の樹脂からなるフィルムを円筒状に接合することで、着色剤保持管４００を形成してもよい。着色剤保持管４００を形成したら、着色剤保持管４００の中空部内に、着色剤４２０を充填する。例えば、着色剤保持管４００の中空部内を排気しながら、該中空部内に着色剤４２０を加圧充填する。なお、これ以外の方法で、着色剤保持管４００の中空部内に着色剤４２０を充填してもよい。
【００６５】
このとき、中心部１００のうちカーボンコンポジットの少なくとも一部に損傷が生じる臨界曲げ半径以上の曲げ半径に送電線１０が曲げられたときに割れ、着色剤４２０を外部に放出するよう、着色剤保持管４００を構成する。具体的には、事前に実験的に最適化された条件を満たすように、着色剤保持管４００の材料、組成比および厚さ等を調整する。
【００６６】
また、素線コア部１２２を準備する。具体的には、例えば、カーボンファイバを束ね、樹脂により線状に押出成型することにより、素線コア部１２２を形成する。
【００６７】
着色剤保持管４００および素線コア部１２２を準備したら、素線コア部１２２の外周を覆うように所定の樹脂を被覆することで、コア保護層１２４を形成する。このとき、コア保護層１２４内に素線コア部１２２の外周を囲むように複数の着色剤保持管４００を配置しながら、コア保護層１２４を形成する。コア保護層１２４を形成したら、所定の加熱処理によりコア保護層１２４を構成する樹脂を硬化させる。
【００６８】
以上により、本実施形態の中心部１００が形成される。
【００６９】
（外部撚線層形成工程）
外部撚線層３００を構成する外部素線３２０を準備する。具体的には、円形の開口を有するダイスを設けた伸線機を用い、所定のＡｌ合金材を伸線することにより、外部素線３２０を形成する。
【００７０】
外部素線３２０を準備したら、所定の撚線機により外部撚線層３００を形成する。具体的には、まず、第１撚線機を用い、中心部１００の外周を覆うように複数の外部素線３２０を撚り合わせることにより、第１外部撚線層３００ａを形成する。次に、第２撚線機を用い、第１外部撚線層３００ａの外周を覆うように複数の外部素線３２０を撚り合わせることにより、第２外部撚線層３００ｂを形成する。
【００７１】
以上により、本実施形態に係る送電線１０が製造される。
【００７２】
（３）本実施形態に係る効果
本実施形態によれば、以下に示す１つ又は複数の効果を奏する。
【００７３】
（ａ）中心部１００は、着色剤保持管４００を有している。着色剤保持管４００は、中心部１００のうちカーボンコンポジットの少なくとも一部に損傷が生じる臨界曲げ半径以上の曲げ半径に送電線１０が曲げられたときに割れ、着色剤４２０を外部に放出するよう構成されている。送電線１０の製造後から架線するまでの間に送電線１０が曲げられる毎に、着色剤保持管４００から放出された着色剤４２０を送電線１０の外観から検知することで、中心部１００のうちカーボンコンポジットの少なくとも一部が損傷したおそれがあることを把握することができる。或いは、中心部１００のカーボンコンポジットに対して損傷を生じさせるに相当する曲げ応力が印加されたおそれがあることを、実際に中心部１００のうちカーボンコンポジットの少なくとも一部に損傷が発生する以前に把握することができる。このように、本実施形態では、送電線１０が架線される以前に、カーボンコンポジットを含む中心部１００の損傷に係る危険性を送電線１０の外観から検知することが可能となる。
【００７４】
送電線１０が架線される以前に、中心部１００の損傷に係る危険性を送電線１０の外観から検知することで、中心部１００のカーボンコンポジットが損傷したおそれがある送電線１０や、中心部１００のカーボンコンポジットに対して損傷を生じさせるに相当する曲げ応力が印加されたおそれがある送電線１０を排除することができる。これにより、中心部１００のうちカーボンコンポジットの少なくとも一部に損傷が生じたまま送電線１０が架線されることを防ぐことができる。その結果、中心部１００のカーボンコンポジットの損傷を起因として送電線１０が架線時の張力に耐えられなくなる事態を回避することが可能となる。
【００７５】
なお、送電線１０が架線された後では中心部１００に過大な曲げ応力が加わることは少ないが、送電線１０が架線された後であっても、着色剤保持管４００から放出された着色剤４２０を検知することで、カーボンコンポジットを含む中心部１００の損傷に係る危険性を送電線１０の外観から検知することも可能である。
【００７６】
（ｂ）着色剤保持管４００内に保持される着色剤４２０が、複数の外部素線３２０と異なる色を呈し、常温で流動性を有していることで、着色剤保持管４００が割れ、着色剤４２０が送電線１０の外側に放出されたことを確認し易くすることができる。これにより、着色剤保持管４００による中心部１００の損傷検知精度を向上させることができる。
【００７７】
（ｃ）着色剤保持管４００が割れた位置付近の送電線１０の径方向の外側に着色剤４２０が露出することで、着色剤保持管４００が割れた位置を送電線１０の外観から明確に把握することができる。これにより、着色剤４２０が露出した位置付近、すなわち着色剤保持管４００が割れた位置と重なる位置付近で、中心部１００のカーボンコンポジットに対して損傷を生じさせるに相当する曲げ応力が印加されたと予測することができる。その結果、送電線１０の不良部分として排除すべき部分を特定することが可能となる。
【００７８】
（ｄ）中心部１００が１つのカーボンコンポジット素線１２０からなり、着色剤保持管４００がカーボンコンポジット素線１２０のコア保護層１２４内に設けられていることで、カーボンコンポジット素線１２０を構成する素線コア部１２２の断面形状を、従来の素線コア部と同様に円形とすることができる。これにより、中心部１００が着色剤保持管４００を有することに起因した送電線１０の引張強度の低下を抑制することができる。
【００７９】
（ｅ）カーボンコンポジット素線１２０の最外層であるコア保護層１２４内に着色剤保持管４００が設けられていることで、着色剤保持管４００が割れた際に、着色剤保持管４００内の着色剤４２０を中心部１００の外部に放出させ易くすることができる。これにより、中心部１００の損傷に対する着色剤保持管４００の応答性を向上させることができる。
【００８０】
（ｆ）着色剤保持管４００の曲げ強さは、カーボンコンポジット素線１２０のうちの素線コア部１２２の曲げ強さ以下である。これにより、送電線１０の曲げ半径Ｒが、カーボンコンポジット素線１２０のうちの素線コア部１２２の少なくとも一部に損傷が生じる臨界曲げ半径以上の曲げ半径であるときに、着色剤保持管４００の少なくとも一部に割れを生じさせ、着色剤保持管４００の割れ部分から外部に向けて、着色剤４２０を放出させることができる。その結果、カーボンコンポジット素線１２０の損傷に係る危険性を、送電線１０の外観から検知することが可能となる。
【００８１】
（ｇ）複数の着色剤保持管４００が中心部１００の周方向に均等に配置されることで、送電線１０が曲げられたときに複数の着色剤保持管４００がどのように配置されていたとしても、複数の着色剤保持管４００のうちの１つの曲げ半径ｒｄは、素線コア部１２２の曲げ半径ｒｃよりも小さくなる。つまり、複数の着色剤保持管４００のうちの１つは、素線コア部１２２よりも曲げに対して不利な状態となる。これにより、送電線１０が曲げられたときに、素線コア部１２２の少なくとも一部に損傷が生じる以前に、着色剤保持管４００の少なくとも一部に割れを確実に生じさせることができる。その結果、着色剤保持管４００による中心部１００の損傷検知精度を向上させることができる。
【００８２】
（４）本実施形態の変形例
上述の実施形態は、必要に応じて、以下に示す変形例のように変更することができる。以下、上述の実施形態と異なる要素についてのみ説明し、上述の実施形態で説明した要素と実質的に同一の要素には、同一の符号を付してその説明を省略する。
【００８３】
（変形例１）
図４を用い、変形例１に係る送電線について説明する。図４は、本実施形態の変形例１に係る送電線の軸方向と直交する断面図である。
【００８４】
変形例１では、着色剤保持管４００の配置箇所が、上述の実施形態と異なっている。
【００８５】
図４に示すように、本変形例の中心部１００は、例えば、１つのカーボンコンポジット素線１２０からなっている。カーボンコンポジット素線１２０は、例えば、素線コア部１２２と、コア保護層１２４と、を有している。
【００８６】
本変形例の着色剤保持管４００は、例えば、素線コア部１２２内に設けられている。具体的には、着色剤保持管４００は、例えば、素線コア部１２２内の外周側に埋め込まれている。素線コア部１２２の断面形状は、例えば、円形となっている。コア保護層１２４は、素線コア部１２２の外周を覆うように設けられ、着色剤保持管４００を保護している。
【００８７】
着色剤保持管４００の曲げ強さは、例えば、素線コア部１２２のうち着色剤保持管４００以外の他部の曲げ強さ以下である。さらに、コア保護層１２４の曲げ強さも、例えば、素線コア部１２２のうち着色剤保持管４００以外の他部の曲げ強さ以下である。これにより、送電線１０の曲げ半径Ｒが、素線コア部１２２のうち着色剤保持管４００以外の他部の少なくとも一部に損傷が生じる臨界曲げ半径以上の曲げ半径であるときに、着色剤保持管４００およびコア保護層１２４にそれぞれ割れを生じさせ、着色剤保持管４００の割れ部分からコア保護層１２４の割れ部分を介して外部に向けて、着色剤４２０を放出させることができる。
【００８８】
本変形例では、着色剤保持管４００は、例えば、複数設けられている。複数の着色剤保持管４００は、例えば、素線コア部１２２内でその外周に沿って配置されている。複数の着色剤保持管４００は、例えば、素線コア部１２２の中心軸に沿って互いに平行に設けられていてもよいし、或いは、素線コア部１２２の中心軸の周りに撚り合わせられていてもよい。
【００８９】
本変形例では、送電線１０の軸方向に直交する断面において、複数の着色剤保持管４００は、例えば、中心部１００（素線コア部１２２）の周方向に均等に配置されている。本変形例の複数の着色剤保持管４００の対称性は、該着色剤保持管４００が素線コア部１２２内に設けられている点を除いて、上述の実施形態の複数の着色剤保持管４００の対称性と同様である。
【００９０】
（効果）
（ａ）着色剤保持管４００が素線コア部１２２内に設けられていることで、着色剤保持管４００が素線コア部１２２の一部となっている。これにより、素線コア部１２２に対して損傷を生じさせるに相当する曲げ応力が実際に印加されたときに、素線コア部１２２内の着色剤保持管４００の少なくとも一部に割れを確実に生じさせ、着色剤保持管４００の割れ部分から外部に向けて、着色剤４２０を放出させることができる。その結果、着色剤保持管４００による中心部１００の損傷検知精度を向上させることができる。
【００９１】
（ｂ）着色剤保持管４００が素線コア部１２２内に設けられていることで、着色剤保持管４００は、コア保護層１２４によって保護されている。これにより、着色剤保持管４００が外部素線３２０と接触すること等に起因して、着色剤保持管４００が誤って割れることを抑制することができる。その結果、中心部１００の損傷の誤検出を抑制することができる。
【００９２】
（変形例２）
図５を用い、変形例２に係る送電線について説明する。図５は、本実施形態の変形例２に係る送電線の軸方向と直交する断面図である。
【００９３】
変形例２では、中心部１００の構成が、上述の実施形態と異なっている。
【００９４】
図５に示すように、本変形例の中心部１００は、例えば、カーボンコンポジット素線１２０を複数束ねることにより構成されている。複数のカーボンコンポジット素線１２０は、直線状に束ねられていてもよいし、或いは、螺旋状に撚り合わせられていてもよい。
【００９５】
着色剤保持管４００は、中心部１００内に複数のカーボンコンポジット素線１２０とともに束ねられている。つまり、中心部１００内に、１つのカーボンコンポジット素線１２０の代わりに着色剤保持管４００が設けられている。着色剤保持管４００の直径は、例えば、カーボンコンポジット素線１２０の直径とほぼ等しい。
【００９６】
図５の具体例では、中心部１００は、６つのカーボンコンポジット素線１２０と、１つの着色剤保持管４００と、を有し、１つのカーボンコンポジット素線１２０を中心として、その外周を覆うように５つのカーボンコンポジット素線１２０および１つの着色剤保持管４００が撚り合わせられている。
【００９７】
本変形例では、着色剤保持管４００の曲げ強さは、例えば、複数のカーボンコンポジット素線１２０のうちの少なくとも１つのカーボンコンポジット素線１２０の曲げ強さ以下である。なお、「１つのカーボンコンポジット素線１２０の曲げ強さ」とは、解かれた状態での１つのカーボンコンポジット素線１２０の曲げ強さを意味している。
【００９８】
または、本変形例では、着色剤保持管４００の曲げ強さは、例えば、複数のカーボンコンポジット素線１２０の全体（すなわち、中心部１００）としての曲げ強さ以下としてもよい。なお、「複数のカーボンコンポジット素線１２０の全体としての曲げ強さ」とは、複数のカーボンコンポジット素線１２０が束ねられた状態での曲げ強さであってもよいし、複数のカーボンコンポジット素線１２０のそれぞれの曲げ強さを合計した値であってもよい。
【００９９】
なお、本変形例の具体的な寸法の一例としては、着色剤保持管４００の直径は、例えば、２ｍｍ以上６ｍｍ以下であり、着色剤保持管４００の厚さは、例えば、１ｍｍ以下である。
【０１００】
（効果）
（ａ）着色剤保持管４００を、中心部１００内に複数のカーボンコンポジット素線１２０とともに束ねることで、着色剤保持管４００を有する中心部１００を容易に形成することができる。
【０１０１】
（ｂ）中心部１００内に、１つのカーボンコンポジット素線１２０の代わりに着色剤保持管４００が設けられていることで、カーボンコンポジット素線１２０に対して損傷を生じさせるに相当する曲げ応力が実際に印加されたときに、着色剤保持管４００の少なくとも一部に割れを確実に生じさせ、着色剤保持管４００の割れ部分から外部に向けて、着色剤４２０を放出させることができる。その結果、着色剤保持管４００による中心部１００の損傷検知精度を向上させることができる。
【０１０２】
（ｃ）着色剤保持管４００の曲げ強さが複数のカーボンコンポジット素線１２０のうちの少なくとも１つのカーボンコンポジット素線１２０の曲げ強さ以下であることで、送電線１０の曲げ半径Ｒが、１つのカーボンコンポジット素線１２０の少なくとも一部に損傷が生じる臨界曲げ半径以上の曲げ半径であるときに、着色剤保持管４００の少なくとも一部に割れを生じさせることができる。これにより、中心部１００に生じた損傷が、１つのカーボンコンポジット素線１２０の少なくとも一部に生じるような微小な損傷であったとしても、当該損傷に係る危険性を送電線１０の外観から検知することができる。その結果、中心部１００の損傷を起因として送電線１０が架線時の張力に耐えられなくなる事態を確実に回避することが可能となる。
【０１０３】
（ｄ）または、着色剤保持管４００の曲げ強さが複数のカーボンコンポジット素線１２０の全体としての曲げ強さ以下であることで、送電線１０の曲げ半径Ｒが、複数のカーボンコンポジット素線１２０の少なくとも一部に損傷が生じる臨界曲げ半径以上の曲げ半径であるときに、着色剤保持管４００の少なくとも一部に割れを生じさせることができる。これにより、複数のカーボンコンポジット素線１２０が束ねられた状態で生じた損傷に係る危険性を送電線１０の外観から検知することができる。
【０１０４】
また、この場合、着色剤保持管４００の曲げ強さが、実際の複数のカーボンコンポジット素線１２０が束ねられた中心部１００の曲げ強さに基づいて設計されていることで、中心部１００に損傷が生じる危険性がないのにもかかわらず、着色剤保持管４００に過度に割れが生じることを抑制することができる。
【０１０５】
（変形例３）
図６を用い、変形例３に係る送電線について説明する。図６は、本実施形態の変形例３に係る送電線の軸方向と直交する断面図である。
【０１０６】
変形例３では、着色剤保持管４００の構成が、上述の実施形態と異なっている。
【０１０７】
図６に示すように、着色剤保持管４００が複数設けられている。複数の着色剤保持管４００は、例えば、異なる曲げ半径で割れるよう構成されている。具体的には、例えば、複数の着色剤保持管４００は、３種類で構成されており、３つの異なる曲げ半径で割れるよう構成されている。なお、３種類の着色剤保持管４００を、第１着色剤保持管４００ａ、第２着色剤保持管４００ｂおよび第３着色剤保持管４００ｃとする。
【０１０８】
３種類の着色剤保持管４００は、例えば、第１着色剤保持管４００ａ、第２着色剤保持管４００ｂおよび第３着色剤保持管４００ｃの順で割れ易くなっている。すなわち、着色剤保持管４００が割れるときの曲げ半径は、第１着色剤保持管４００ａ、第２着色剤保持管４００ｂおよび第３着色剤保持管４００ｃの順で大きい。例えば、着色剤保持管４００の厚さは、第１着色剤保持管４００ａ、第２着色剤保持管４００ｂおよび第３着色剤保持管４００ｃの順で薄くなっている。これにより、第１着色剤保持管４００ａ、第２着色剤保持管４００ｂおよび第３着色剤保持管４００ｃの順で割れ易くすることができる。
【０１０９】
なお、例えば、第１着色剤保持管４００ａ、第２着色剤保持管４００ｂおよび第３着色剤保持管４００ｃのそれぞれは、素線コア部１２２を挟んで一対設けられている。
【０１１０】
また、本変形例では、複数の着色剤保持管４００が有する着色剤４２０の色は、例えば、互いに異なっている。例えば、着色剤４２０の色は、着色剤保持管４００が割れるときの曲げ半径が小さいほど、危険度が増していることを示す色となっている。具体的には、着色剤４２０の色は、例えば、ＪＩＳ  Ｚ９１０１に準拠している。第１着色剤保持管４００ａの着色剤４２０の色が黄色であり、第２着色剤保持管４００ｂの着色剤４２０の色が黄赤色（オレンジ色）であり、第３着色剤保持管４００ｃの着色剤４２０の色が赤色である。
【０１１１】
なお、着色剤４２０の色は全て赤色であり、第１着色剤保持管４００ａ、第２着色剤保持管４００ｂおよび第３着色剤保持管４００ｃの順で、着色剤４２０の色が濃くなっていてもよい。
【０１１２】
（効果）
（ａ）複数の着色剤保持管４００が異なる曲げ半径で割れるよう構成され、複数の着色剤保持管４００が有する着色剤４２０の色が、互いに異なっている。これにより、着色剤保持管４００から放出された着色剤４２０の色を識別することで、中心部１００に対して、どの工程で、どの程度の曲げ半径の曲げ応力が加わったかを把握することができる。
【０１１３】
（ｂ）着色剤４２０の色は、着色剤保持管４００が割れるときの曲げ半径が小さいほど、危険度が増していることを示す色となっている。これにより、着色剤保持管４００から放出された着色剤４２０の色が示す危険度を識別することで、中心部１００を損傷させるような強い曲げ応力が加わったか否かを把握することができる。その結果、送電線１０の断線に至る前に、その危険性を的確に把握することができる。
【０１１４】
＜本発明の他の実施形態＞
以上、本発明の実施形態について具体的に説明したが、本発明は上述の実施形態に限定されるものではなく、その要旨を逸脱しない範囲で種々変更可能である。
【０１１５】
上述の実施形態では、外部撚線層３００が２層設けられている場合について説明したが、外部撚線層３００は、１層のみ、または３層以上設けられていてもよい。
【０１１６】
上述の実施形態では、外部撚線層３００を構成する外部素線３２０の断面形状が円形である場合について説明したが、外部素線３２０の断面形状は、扇形や異形であってもよい。
【０１１７】
上述の実施形態では、着色剤保持管４００が円管状部材からなる場合について説明したが、着色剤保持管４００は、中空部内に着色剤４２０を保持することができれば、円管状以外の形状を有する部材からなっていてもよい。具体的には、着色剤保持管４００は、例えば、楕円管状部材、矩形管状部材、多角形管状部材、または扇形管状部材などからなっていてもよい。
【０１１８】
上述の実施形態では、着色剤保持管４００がコア保護層１２４を構成する材料のうち少なくともいずれかを含んでいる場合について説明したが、着色剤保持管４００は、所定の曲げ強さを有していれば、コア保護層１２４を構成する材料を含まず、コア保護層１２４と異なる材料により構成されていてもよい。具体的には、着色剤保持管４００は、例えば、金属により構成されていてもよい。着色剤保持管４００を構成する金属としては、例えば、ステンレスなどが挙げられる。着色剤保持管４００がステンレスにより構成されている場合では、着色剤保持管４００を、ジェル状の着色剤４２０を注入しながら製管してもよい。
【０１１９】
上述の実施形態では、着色剤保持管４００が複数設けられている場合について説明したが、着色剤保持管４００は１つのみ設けられていてもよい。ただし、着色剤保持管４００による中心部１００の損傷検知精度を向上させる観点では、着色剤保持管４００は複数設けられているほうが好ましい。
【０１２０】
上述の実施形態では、着色剤保持管４００が６つ設けられている場合について説明したが、着色剤保持管４００は、少なくとも１つ設けられていればよく、６つより少なく設けられていてもよいし、或いは、６つより多く設けられていてもよい。
【０１２１】
上述の実施形態では、着色剤保持管４００がコア保護層１２４内に設けられ、また、上述の変形例１では、着色剤保持管４００が素線コア部１２２内に設けられている場合について説明したが、着色剤保持管４００は、素線コア部１２２およびコア保護層１２４の両方にそれぞれ設けられていてもよい。これにより、着色剤保持管４００による中心部１００の損傷検知精度を向上させることができる。
【０１２２】
上述の実施形態では、中心部１００が着色剤保持管４００を有している場合について説明したが、この場合に限られない。例えば、外部撚線層３００が、複数の外部素線３２０とともに撚り合わせられる着色剤保持管４００を有していてもよい。これにより、着色剤保持管４００から放出された着色剤４２０を送電線１０の外周面に確実に露出させ、該着色剤４２０を検知し易くすることができる。
【０１２３】
＜本発明の好ましい態様＞
以下、本発明の好ましい態様を付記する。
【０１２４】
（付記１）
カーボンコンポジットを含む中心部と、
前記中心部の外周を覆うように複数の外部素線を撚り合わせて設けられる外部撚線層と、
を有する送電線であって、
前記中心部は、前記複数の外部素線と異なる色を呈し常温で流動性を有する着色剤を、内部に保持する着色剤保持管を有し、
前記着色剤保持管は、前記中心部のうち前記カーボンコンポジットの少なくとも一部に損傷が生じる臨界曲げ半径以上の曲げ半径に前記送電線が曲げられたときに割れ、前記着色剤を外部に放出するよう構成される
送電線。
【０１２５】
（付記２）
前記中心部は、１つのカーボンコンポジット素線からなり、
前記カーボンコンポジット素線は、
カーボンコンポジットを含む素線コア部と、
前記素線コア部の外周を覆うように設けられるコア保護層と、
を有し、
前記着色剤保持管は、前記コア保護層内に設けられる
付記１に記載の送電線。
【０１２６】
（付記３）
前記着色剤保持管の曲げ強さは、前記素線コア部の曲げ強さ以下である
付記２に記載の送電線。
【０１２７】
（付記４）
前記中心部は、１つのカーボンコンポジット素線からなり、
前記カーボンコンポジット素線は、
カーボンコンポジットを含む素線コア部と、
前記素線コア部の外周を覆うように設けられるコア保護層と、
を有し、
前記着色剤保持管は、前記素線コア部内に設けられる
付記１に記載の送電線。
【０１２８】
（付記５）
前記着色剤保持管の曲げ強さは、前記素線コア部のうち前記着色剤保持管以外の他部の曲げ強さ以下である
付記４に記載の送電線。
【０１２９】
（付記６）
前記中心部は、カーボンコンポジット素線を複数束ねることにより構成され、
前記着色剤保持管は、前記中心部内に前記複数のカーボンコンポジット素線とともに束ねられる
付記１に記載の送電線。
【０１３０】
（付記７）
前記着色剤保持管の曲げ強さは、前記複数のカーボンコンポジット素線のうちの少なくとも１つのカーボンコンポジット素線の曲げ強さ以下である
付記６に記載の送電線。
【０１３１】
（付記８）
前記着色剤保持管の曲げ強さは、前記複数のカーボンコンポジット素線の全体としての曲げ強さ以下である
付記６に記載の送電線。
【０１３２】
（付記９）
カーボンコンポジットを含む中心部と、
前記中心部の外周を覆うように複数の外部素線を撚り合わせて設けられる外部撚線層と、
を有する送電線であって、
前記外部撚線層は、前記複数の外部素線とともに撚り合わせられ、前記複数の外部素線と異なる色を呈し常温で流動性を有する着色剤を、内部に保持する着色剤保持管を有し、
前記着色剤保持管は、前記中心部のうち前記カーボンコンポジットの少なくとも一部に損傷が生じる臨界曲げ半径以上の曲げ半径に前記送電線が曲げられたときに割れ、前記着色剤を外部に放出するよう構成される
送電線。
【０１３３】
（付記１０）
前記着色剤保持管は、複数設けられ、
前記複数の着色剤保持管は、異なる曲げ半径で割れるよう構成され、
前記複数の着色剤保持管が有する前記着色剤の色は、互いに異なる
付記１〜９のいずれか１つに記載の送電線。
【０１３４】
（付記１１）
前記着色剤保持管は、複数設けられ、
前記複数の着色剤保持管は、前記中心部の周方向に均等に配置される
付記１〜１０のいずれか１つに記載の送電線。
【０１３５】
（付記１２）
前記着色剤保持管は、複数設けられ、
前記複数の着色剤保持管は、前記中心部の中心軸に対して回転対称に配置される
付記１〜１１のいずれか１つに記載の送電線。
【０１３６】
（付記１３）
前記着色剤保持管は、複数設けられ、
前記複数の着色剤保持管は、前記中心部の中心軸に対して対称に配置される
付記１〜１２のいずれか１つに記載の送電線。
【０１３７】
（付記１４）
前記着色剤は、蛍光材料を含む
付記１〜１３のいずれか１つに記載の送電線。
【０１３８】
（付記１５）
カーボンコンポジットを含む中心部を形成する工程と、
前記中心部の外周を覆うように複数の外部素線を撚り合わせて外部撚線層を形成する工程と、
を有する送電線の製造方法であって、
前記中心部を形成する工程では、
前記複数の外部素線と異なる色を呈し常温で流動性を有する着色剤を、内部に保持する着色剤保持管を前記中心部内に設け、
前記中心部のうち前記カーボンコンポジットの少なくとも一部に損傷が生じる臨界曲げ半径以上の曲げ半径に前記送電線が曲げられたときに割れ、前記着色剤を外部に放出するよう、前記着色剤保持管を構成する
送電線の製造方法。
【符号の説明】
【０１３９】
１０  送電線（架空送電線）
１００  中心部
１２０  カーボンコンポジット素線
１２２  素線コア部
１２４  コア保護層
３００  外部撚線層
３００ａ  第１外部撚線層
３００ｂ  第２外部撚線層
３２０  外部素線
４００  着色剤保持管
４００ａ  第１着色剤保持管
４００ｂ  第２着色剤保持管
４００ｃ  第３着色剤保持管
４２０  着色剤
【図１】
2019153408.tif 000003
【図２】
2019153408.tif 000004
【図３】
2019153408.tif 000005
【図４】
2019153408.tif 000006
【図５】
2019153408.tif 000007
【図６】
2019153408.tif 000008